(57)【要約】【課題】  回転初期における良好な潤滑を可能として保持器の案内面と軌道輪の案内面との摺接面の摩耗、かじり、などの発生を抑制すると共に、該摺接面への潤滑剤の流れ（供給）を確保して寿命の長期化を図った転がり軸受を提供する。【解決手段】  保持器５は、ころ４の側面４ａと対向するポケット５ｂの側壁５ｄに形成され、保持器５の外周面５ａと内周面５ｈとを連通するとともに、深さが軌道輪２に向かって次第に深くなるように傾斜した半径方向溝５ｅと、保持器５の案内面５ａに軸方向に形成された軸方向溝５ｇと、を有する。保持器５の案内面５ａと軌道輪２の周面２ｃの一方は、保持器５の半径方向溝５ｅと軸方向溝５ｇとを連通させるように、軸方向において半径方向溝５ｅと軸方向溝５ｇとの間に円環状溝５ｆを有する。【選択図】  図１
2006077905.tif 000002
【特許請求の範囲】
【請求項１】
互いに同芯に配置された第１及び第２の軌道輪と、該第１及び第２の軌道輪間に回動自在に配設された複数のころと、該複数のころをそれぞれ転動自在に保持する複数のポケットが円周方向に所定の間隔で形成され、その外周面と内周面の一方を案内面として該案内面を前記第１の軌道輪の周面と摺接させることで前記第１の軌道輪に案内される保持器と、を備えた転がり軸受であって、
前記保持器は、前記ころの側面と対向する前記ポケットの側壁に形成され、前記保持器の前記外周面と内周面とを連通するとともに、深さが前記第１の軌道輪に向かって次第に深くなるように傾斜した半径方向溝と、前記保持器の案内面に軸方向に形成された軸方向溝と、を有し、
前記保持器の案内面と前記第１の軌道輪の周面の一方は、前記保持器の前記半径方向溝と前記軸方向溝とを連通させるように、軸方向において前記半径方向溝と前記軸方向溝との間に円環状溝を有することを特徴とする転がり軸受。
【請求項２】
前記軸方向溝は、前記ポケットと円周方向に離間した位置に配置されていることを特徴とする請求項１に記載の転がり軸受。
【請求項３】
前記第１の軌道輪は外輪、前記第２の軌道輪は内輪、及び前記案内面は前記外輪の内周面と摺接する前記保持器の外周面からなり、
前記半径方向溝、前記軸方向溝、及び前記円環状溝は前記保持器の外周面に形成されることを特徴とする請求項１又は２に記載の転がり軸受。
【請求項４】
前記第１の軌道輪は外輪、前記第２の軌道輪は内輪、及び前記案内面は前記外輪の内周面と摺接する前記保持器の外周面からなり、
前記半径方向溝と前記軸方向溝は前記保持器の外周面に形成されるとともに、前記円環状溝は前記外輪の内周面に形成されることを特徴とする請求項１又は２に記載の転がり軸受。
【請求項５】
前記第１の軌道輪は内輪、前記第２の軌道輪は外輪、及び前記案内面は前記内輪の外周面と摺接する前記保持器の内周面からなり、
前記半径方向溝、前記軸方向溝、及び前記円環状溝は前記保持器の内周面に形成されることを特徴とする請求項１又は２に記載の転がり軸受。
【請求項６】
前記第１の軌道輪は内輪、前記第２の軌道輪は外輪、及び前記案内面は前記内輪の外周面と摺接する前記保持器の内周面からなり、
前記半径方向溝と前記軸方向溝は前記保持器の内周面に形成されるとともに、前記円環状溝は前記内輪の外周面に形成されることを特徴とする請求項１又は２に記載の転がり軸受。
【発明の詳細な説明】
【技術分野】
【０００１】
本発明は、転がり軸受に関し、より詳細には、潤滑剤としてグリースが用いられる一般産業用転がり軸受に関する。
【背景技術】
【０００２】
転がり軸受の一例である円筒ころ軸受１００は、従来、図１５に示すように、内周面に外輪軌道面１０１ａが形成された外輪１０１と、外周面に内輪軌道面１０２ａが形成され、外輪１０１と同芯に配置された内輪１０２と、外輪軌道面１０１ａと内輪軌道面１０２ａとの間に回動自在に配設された複数のころ１０３と、複数のころ１０３をそれぞれ転動自在に保持する複数のポケット１０４ａが円周方向に所定の間隔で形成され、外周面１０４ｂが静止輪である外輪１０１の鍔部１０１ｂの内周面１０１ｃに摺接して案内される軌道輪案内型保持器１０４とを備えている。
【０００３】
円筒ころ軸受１００の軸受性能を良好に維持するためには、ころ１０３の挙動を安定させることが重要であり、ころ１０３を転動自在に保持する軌道輪案内型保持器１０４の外周面１０４ｂと外輪１０１の鍔部１０１ｂの内周面１０１ｃとの隙間を狭くして軌道輪案内型保持器１０４の振れ回りを抑えるようにしている。また、ポケット１０４ａところ１０３との隙間も同様の理由から小さく設定されている。このため、これらの隙間（摺接面）には、グリースなどの潤滑剤がに入り難く、潤滑不足となって摩耗やかじり発生の一因となっていた。
【０００４】
上記の潤滑不足を解消するために、保持器のポケット端面に油溜め用の凹部を形成して摺接面の潤滑性能の向上を図ったものが知られている（例えば、特許文献１及び２参照。）。特許文献１に記載のころ軸受用の保持器は、開口縁部が周囲面に対して滑らかな曲面で連続された油溜め用凹部をポケットの側壁面に形成し、油溜め用凹部に溜められた潤滑剤を、ころの端面と保持器との摺接面、およびころの端面と内、外輪の鍔部との摺接面に供給している。
【０００５】
また、特許文献２に記載の転がり軸受用保持器は、ポケットの側壁面に保持器の外径側と内径側とを連通させた凹部を設け、ころ端面と鍔端面、および保持器外周面と鍔部内周面との間に潤滑剤を供給している。
【特許文献１】特開平８−２００３７６号公報（第２−３頁、図１）
【特許文献２】特開平１１−３１５８４１号公報（第２−３頁、図１）
【発明の開示】
【発明が解決しようとする課題】
【０００６】
ところで、特許文献１に記載のころ軸受用の保持器は、転動体案内型保持器を想定したものであって、軌道輪案内型保持器について開示されておらず、軌道輪案内型保持器の外周面または内周面と、外、内輪の鍔部の内周面または外周面との摺接面の潤滑については考慮されていない。
【０００７】
また、特許文献２に記載の転がり軸受用保持器は、ころ端面と鍔端面、および保持器外周面と鍔部内周面との間に潤滑剤を供給しているが、保持器外周面と鍔部内周面との間の潤滑状態を維持することについては考慮されておらず、特に、軸受の回転初期においては保持器外周面と鍔部内周面との間の潤滑状態を維持することが望まれている。
【０００８】
本発明は、前述した課題に鑑みてなされたものであり、その目的は、回転初期においても良好な潤滑を可能として保持器の案内面と軌道輪の鍔部との摺接面の摩耗、かじり等の発生を抑制すると共に、該摺接面への潤滑剤の流れ（供給）を確保して寿命の長期化を図った転がり軸受を提供することにある。
【課題を解決するための手段】
【０００９】
本発明の上記目的は、下記の構成により達成される。
（１）  互いに同芯に配置された第１及び第２の軌道輪と、該第１及び第２の軌道輪間に回動自在に配設された複数のころと、該複数のころをそれぞれ転動自在に保持する複数のポケットが円周方向に所定の間隔で形成され、その外周面と内周面の一方を案内面として該案内面を前記第１の軌道輪の周面と摺接させることで前記第１の軌道輪に案内される保持器と、を備えた転がり軸受であって、
前記保持器は、前記ころの側面と対向する前記ポケットの側壁に形成され、前記保持器の前記外周面と内周面とを連通するとともに、深さが前記第１の軌道輪に向かって次第に深くなるように傾斜した半径方向溝と、前記保持器の案内面に軸方向に形成された軸方向溝と、を有し、
前記保持器の案内面と前記第１の軌道輪の周面の一方は、前記保持器の前記半径方向溝と前記軸方向溝とを連通させるように、軸方向において前記半径方向溝と前記軸方向溝との間に円環状溝を有することを特徴とする転がり軸受。
（２）  前記軸方向溝は、前記ポケットと円周方向に離間した位置に配置されていることを特徴とする（１）に記載の転がり軸受。
（３）  前記第１の軌道輪は外輪、前記第２の軌道輪は内輪、及び前記案内面は前記外輪の内周面と摺接する前記保持器の外周面からなり、
前記半径方向溝、前記軸方向溝、及び前記円環状溝は前記保持器の外周面に形成されることを特徴とする（１）又は（２）に記載の転がり軸受。
（４）  前記第１の軌道輪は外輪、前記第２の軌道輪は内輪、及び前記案内面は前記外輪の内周面と摺接する前記保持器の外周面からなり、
前記半径方向溝と前記軸方向溝は前記保持器の外周面に形成されるとともに、前記円環状溝は前記外輪の内周面に形成されることを特徴とする（１）又は（２）に記載の転がり軸受。
（５）  前記第１の軌道輪は内輪、前記第２の軌道輪は外輪、及び前記案内面は前記内輪の外周面と摺接する前記保持器の内周面からなり、
前記半径方向溝、前記軸方向溝、及び前記円環状溝は前記保持器の内周面に形成されることを特徴とする（１）又は（２）に記載の転がり軸受。
（６）  前記第１の軌道輪は内輪、前記第２の軌道輪は外輪、及び前記案内面は前記内輪の外周面と摺接する前記保持器の内周面からなり、
前記半径方向溝と前記軸方向溝は前記保持器の内周面に形成されるとともに、前記円環状溝は前記内輪の外周面に形成されることを特徴とする（１）又は（２）に記載の転がり軸受。
【発明の効果】
【００１０】
本発明の転がり軸受によれば、保持器は、ころの側面と対向するポケットの側壁に形成され、保持器の外周面と内周面とを連通するとともに、深さが保持器を案内する軌道輪に向かって次第に深くなるように傾斜した半径方向溝と、保持器の案内面に軸方向に形成された軸方向溝と、を有し、また、保持器の案内面と上記の軌道輪の周面の一方は、保持器の半径方向溝と軸方向溝とを連通させるように、軸方向において半径方向溝と軸方向溝との間に円環状溝を有するようにしたので、潤滑剤がころの側面とポケットの側壁との摺接面と、保持器の案内面と軌道輪の周面との摺接面とに供給される。従って、半径方向溝、円環状溝および軸方向溝にグリース等の潤滑剤を多量に充填することが可能となり、ころ側面とポケットの側壁との摺接面、回転初期において潤滑剤不足となり易い保持器の案内面と軌道輪の周面との摺接面に確実に潤滑剤を供給して、摺接面の摩耗やかじりの発生を抑制して転がり軸受の寿命を長期化することができる。また、半径方向溝、円環状溝および軸方向溝を介して摺接面への潤滑剤の連続した供給を可能として良好な潤滑状態を長期間維持し、転がり軸受の軸受性能を向上させることができる。
【発明を実施するための最良の形態】
【００１１】
以下、本発明に係る転がり軸受の各実施形態を図面に基づいて詳細に説明する。
【００１２】
（第１実施形態）
図１は本発明の第１実施形態である転がり軸受の縦断面図、図２は図１における転がり軸受の正面図、図３は図１における外輪案内型保持器の正面図、図４は図３における外輪案内型保持器の側面図、図５は図４におけるＶ部拡大図、図６は図５におけるＶＩ−ＶＩ矢視縦断面図である。
【００１３】
図１及び図２に示すように、本発明の転がり軸受の一例である円筒ころ軸受１は、本発明の第１の軌道輪である外輪２と、本発明の第２の軌道輪である内輪３と、複数の円筒ころ４と、外輪案内型保持器（軌道輪案内型保持器）５と、を備えている。
【００１４】
外輪２は、内周面に形成された外輪軌道面２ａと、両側端に半径方向内方に突出して円環状に形成された鍔部２ｂとを有している。内輪３は、外周面に内輪軌道面３ａが形成され、外輪２の内径側に同芯に配置されている。外輪２の外輪軌道面２ａと内輪３の内輪軌道面３ａとの間には複数の円筒ころ４が回動自在に配置され、円筒ころ４の両側面４ａは、外輪２の鍔部２ｂの内側壁と摺接して案内されている。外輪案内型保持器５は、外周面５ａを案内面としてこの案内面を外輪２の鍔部２ｂの内周面２ｃに摺接させることで外輪２に案内されており、円周方向に所定の間隔で形成された複数のポケット５ｂにそれぞれ、円筒ころ４を転動自在に保持している。ポケット５ｂは、円筒ころ４の円筒面４ｂの曲率半径より僅かに大きい曲率半径を有し、円筒ころ４の円筒面４ｂと摺接する一対の円筒面５ｃと、円筒ころ４の両側面４ａと摺接する一対の側壁５ｄとによって４辺が囲まれて形成されている（図５参照。）。
【００１５】
図３〜図６に示されるように、外輪案内型保持器５は、円筒ころ４の両側面４ａと摺接するポケット５ｂの側壁５ｄに形成された半径方向溝５ｅと、外周面５ａに形成された円環状溝５ｆと、外周面５ａに軸方向に形成された軸方向溝５ｇと、を有している。半径方向溝５ｅは、図６に示すように、外輪案内型保持器５の外周面５ａと内周面５ｈとを連通させ、その深さｄが外輪２の鍔部２ｂの内周面２ｃ、即ち、半径方向外方に向かうに従って次第に深くなるように傾斜して形成されている。円環状溝５ｆは、半径方向溝５ｅの外周面５ａ側の一端と軸方向溝５ｇの一端に連通して、軸方向において半径方向溝５ｅと軸方向溝５ｇとの間に設けられ、ポケット５ｂの軸方向両側の外周面５ａに全周に亘って形成された断面略Ｕ字形の溝である。軸方向溝５ｇは、隣接するポケット５ｂの円周方向中間位置、即ち、ポケット５ｂと円周方向に離間した位置で、外周面５ａに軸方向に形成されており、一端は円環状溝５ｆに連通し、他端は外輪案内型保持器５の側面５ｋに開放されている。
【００１６】
そして、転がり軸受（円筒ころ軸受）１は、外輪案内型保持器５の各ポケット５ｂに、それぞれ円筒ころ４を挿入して転動自在に保持させて、外輪２と内輪３との間に組み付けられた後、グリース等の潤滑剤を充填する。このとき、外輪案内型保持器５に形成された半径方向溝５ｅ、円環状溝５ｆ、および軸方向溝５ｇに多量の潤滑剤が貯留される。
【００１７】
図１および図２において、外輪２が静止輪とされて内輪３が回転すると、これに伴って円筒ころ４は自転しながら公転し、外輪案内型保持器５も外周面５ａが外輪２の鍔部２ｂの内周面２ｃに摺接して同一方向に回転する。外輪案内型保持器５の外周面５ａと外輪２の鍔部２ｂの内周面２ｃとの摺接面は円環状溝５ｆおよび軸方向溝５ｇに保持されている潤滑剤によって潤滑され、また、円筒ころ４とポケット４ｂとの摺接面は半径方向溝５ｅに保持されている潤滑剤によって潤滑されるので、潤滑不足となり易い回転初期から良好な潤滑が行われる。これによって、回転初期における外輪案内型保持器５の摩耗を抑制することができる。更に、回転中においては、外輪案内型保持器５の外周面５ａと外輪２の鍔部２ｂの内周面２ｃとの摺接面に半径方向溝５ｅによって潤滑剤の流れが確保され、潤滑剤が効率よく摺接面に供給されて良好な潤滑状態が維持される。
【００１８】
本実施形態の転がり軸受１によれば、互いに同芯に配置された外輪２及び内輪３と、外輪２と内輪３間に回動自在に配設された複数のころ４と、複数のころ４をそれぞれ転動自在に保持する複数のポケット５ｂが円周方向に所定の間隔で形成され、その外周面５ａを案内面５ａとして案内面５ａを外輪２の内周面２ｃと摺接させることで外輪２に案内される保持器５と、を備える。また、保持器５は、ころ４の側面４ａと対向するポケット５ｂの側壁５ｄに形成され、保持器５の外周面５ａと内周面５ｈとを連通するとともに、深さが外輪２に向かって次第に深くなるように傾斜した半径方向溝５ｅと、保持器５の案内面５ａに軸方向に形成された軸方向溝５ｇと、を有し、保持器５の案内面５ａは、保持器５の半径方向溝５ｅと軸方向溝５ｇとを連通させるように、軸方向において半径方向溝５ｅと軸方向溝５ｇとの間に円環状溝５ｆを有する。
【００１９】
これにより、潤滑剤はころ４の側面４ａとポケット５ｂの側壁５ｄとの摺接面と、保持器５の案内面５ａと外輪２の内周面２ｃとの摺接面とに供給される。従って、半径方向溝５ｅ、円環状溝５ｆおよび軸方向溝５ｇにグリース等の潤滑剤を多量に充填することが可能となり、ころ４の側面４ａとポケット５ｂの側壁５ｄとの摺接面、回転初期において潤滑剤不足となり易い保持器５の案内面５ａと外輪２の内周面２ｃとの摺接面に確実に潤滑剤を供給して、摺接面の摩耗やかじりの発生を抑制して転がり軸受１の寿命を長期化することができる。また、半径方向溝５ｅ、円環状溝５ｆおよび軸方向溝５ｇを介して摺接面への潤滑剤の連続した供給を可能として良好な潤滑状態を長期間維持し、転がり軸受１の軸受性能を向上させることができる。
【００２０】
（第２実施形態）
次に、本発明の第２実施形態に係る転がり軸受について図７から図１４を参照して説明する。なお、第１実施形態の転がり軸受と同等部分については、同一符号又は相当符号を付して説明を簡略化又は省略する。
【００２１】
図７は本発明の第２実施形態である転がり軸受の縦断面図、図８は図７における転がり軸受の正面図、図９は図７における外輪案内型保持器の正面図、図１０は図９における外輪案内型保持器の側面図、図１１は図１０におけるＸＩ−ＸＩ矢視縦断面図、図１２は図７における外輪の縦断面図である。
【００２２】
図７および図８に示すように、本発明の第２実施形態である転がり軸受１０は、本発明の第１の軌道輪である外輪１２と、内輪３と、複数のころ４と、外輪案内型保持器（軌道輪案内型保持器）１５と、を備えている。
【００２３】
外輪１２は、内周面に形成された外輪軌道面１２ａと、両側端に半径方向内方に突出して円環状に形成された鍔部１２ｂとを有している。内輪３は、外周面に内輪軌道面３ａが形成され、外輪１２の内径側に同芯に配置されている。外輪１２の外輪軌道面１２ａと内輪３の内輪軌道面３ａとの間に複数の円筒ころ４が回動自在に配設され、円筒ころ４の両側面４ａは、外輪１２の鍔部１２ｂの内側壁に摺接して案内されている。外輪案内型保持器１５は、外周面１５ａを案内面としてこの案内面を外輪１２の鍔部１２ｂの内周面１２ｃに摺接することで外輪１２に案内されており、円周方向に所定の間隔で形成された複数のポケット１５ｂにそれぞれ、円筒ころ４を転動自在に保持している。ポケット１５ｂは、円筒ころ４の円筒面４ｂの曲率半径より僅かに大きい曲率半径を有し円筒ころ４の円筒面４ｂと摺接する一対の円筒面１５ｃと、円筒ころ４の両側面４ａと摺接する一対の側壁１５ｄとによって４辺が囲まれて形成されている。
【００２４】
図９から図１１に示すように、外輪案内型保持器１５は、円筒ころ４の両側面４ａと摺接するポケット１５ｂの側壁１５ｄに形成された半径方向溝１５ｅと、外周面１５ａに軸方向に形成された軸方向溝１５ｇと、を有している。半径方向溝１５ｅは、図１１に示すように、外輪案内型保持器１５の外周面１５ａと内周面１５ｈとを連通させ、その深さｄが外輪１２の鍔部１２ｂの内周面１２ｃ、即ち半径方向外方に向かうに従って次第に深くなるように傾斜して、ポケット１５ｂの側壁１５ｄに形成されている。軸方向溝１５ｇは、隣接するポケット１５ｂの円周方向中間位置、即ち、ポケット１５ｂと円周方向に離間した位置で、外周面１５ａにその側面１５ｋから所定の長さＬだけ軸方向に形成されている。
【００２５】
また、図１２に示すように、外輪１２の鍔部１２ｂの内周面１２ｃには、円環状溝１２ｄが全周に亘って形成されており、外輪１２に外輪案内型保持器１５を嵌合させたとき、円環状溝１２ｄが外輪案内型保持器１５の半径方向溝１５ｅと軸方向溝１５ｇとを連通させるように、軸方向において半径方向溝１５ｅと軸方向溝１５ｇとの間に位置している（図７参照。）。
その他の構成及び作用については、第１実施形態のものと同様である。
【００２６】
本実施形態の転がり軸受１０によれば、互いに同芯に配置された外輪１２と内輪３と、外輪１２と内輪３間に回動自在に配設された複数のころ４と、複数のころ４をそれぞれ転動自在に保持する複数のポケット１５ｂが円周方向に所定の間隔で形成され、その外周面１５ａを案内面として案内面１５ａを外輪１２の内周面１２ｃと摺接させることで外輪１２に案内される保持器１５と、を備える。また、保持器１５は、ころ４の側面４ａと対向するポケット１５ｂの側壁１５ｄに形成され、保持器１５の外周面１５ａと内周面１５ｈとを連通するとともに、深さが外輪２に向かって次第に深くなるように傾斜した半径方向溝１５ｅと、保持器１５の案内面１５ａに軸方向に形成された軸方向溝１５ｇと、を有する。さらに、外輪１２の内周面１２ｃは、保持器１５の半径方向溝１５ｅと軸方向溝１５ｇとを連通させるように、軸方向において半径方向溝１５ｅと軸方向溝１５ｇとの間に円環状溝１２ｄを有する。
【００２７】
これにより、潤滑剤はころ４の側面４ａとポケット１５ｂの側壁１５ｄとの摺接面と、保持器１５の案内面１５ａと外輪１２の内周面１２ｃとの摺接面とに供給される。従って、半径方向溝１５ｅ、円環状溝１２ｄおよび軸方向溝１５ｇにグリース等の潤滑剤を多量に充填することが可能となり、ころ４の側面４ａとポケット１５ｂの側壁１５ｄとの摺接面、回転初期において潤滑剤不足となり易い保持器１５の案内面１５ａと外輪１２の内周面１２ｃとの摺接面に確実に潤滑剤を供給して、摺接面の摩耗やかじりの発生を抑制して転がり軸受１０の寿命を長期化することができる。また、半径方向溝１５ｅ、円環状溝１２ｄおよび軸方向溝１５ｇを介して摺接面への潤滑剤の連続した供給を可能として良好な潤滑状態を長期間維持し、転がり軸受１０の軸受性能を向上させることができる。
【００２８】
尚、本発明は、前述した実施形態に限定されるものではなく、適宜、変形、改良、等が可能である。
軌道輪案内型保持器は、外輪案内型保持器に限定されることはなく、軌道輪案内型保持器の内周面が内輪の外周面と摺接するようにした内輪案内型保持器とすることもできる。  この場合の転がり軸受２０は、図１３に示されるように、第１の軌道輪である内輪２１と、第２の軌道輪である外輪２２と、内輪２１と外輪２２との間に回動自在に配置された複数のころ２３と、複数のころ２３をそれぞれ転動自在に保持する複数のポケット２４ａが円周方向に所定の間隔で形成され、その内周面２４ｂの一方を案内面として案内面を内輪２１の鍔部２１ａの外周面２１ｂと摺接させることで、内輪２１に案内される内輪案内型保持器２４とする。
【００２９】
そして、内輪案内型保持器２４は、ころ２３の側面２３ａと対向するポケット２４ａの側壁に形成される半径方向溝２４ｃと、内周面２４ｂに形成された円環状溝２４ｄと、ポケット２４ａと円周方向に離間した位置に、内周面２４ｂに軸方向に形成された軸方向溝２４ｅとを有している。半径方向溝２４ｃは、保持器２４の外周面２４ｆと内周面２４ｂとを連通するとともに、深さが内輪２１に向かって次第に深くなるように傾斜して形成される。また、円環状溝２４ｄは、保持器２４の半径方向溝２４ｃと軸方向溝２４ｅとを連通させるように、軸方向において半径方向溝２４ｃと軸方向溝２４ｅとの間に位置している。
【００３０】
なお、第２実施形態と同様に、内輪案内型保持器の場合においても、図１４に示す転がり軸受３０は、内輪案内型保持器２４に円環状溝２４ｄを設ける代わりに、内輪２１の鍔部２１ａの外周面２１ｂに円環状溝２１ｃを設けるようにしてもよい。
その作用については外輪案内型保持器の転がり軸受の場合と同様である。
【００３１】
また、本発明においては、転がり軸受は円筒ころ軸受として説明したが、これに限定されるものではなく、円錐ころ軸受、棒状ころ軸受、円すいころ軸受等の他の形式の転がり軸受にも適用することができ、同様の効果を奏する。
【図面の簡単な説明】
【００３２】
【図１】本発明の第１実施形態である転がり軸受の縦断面図である。
【図２】図１における転がり軸受の正面図である。
【図３】図１における外輪案内型保持器の正面図である。
【図４】図３における外輪案内型保持器の側面図である。
【図５】図４におけるＡ部拡大図である。
【図６】図５におけるＶＩ−  ＶＩ矢視縦断面図である。
【図７】本発明の第２実施形態である転がり軸受の縦断面図である。
【図８】図７における転がり軸受の正面図である。
【図９】図７における外輪案内型保持器の正面図である。
【図１０】図９における外輪案内型保持器の側面図である。
【図１１】図１０におけるＸＩ−ＸＩ矢視縦断面図である。
【図１２】図７における外輪の縦断面図である。
【図１３】本発明の内輪案内型保持器を有する転がり軸受を示す縦断面図である。
【図１４】本発明の内輪案内型保持器を有する転がり軸受の変形例を示す縦断面図である。
【図１５】従来の転がり軸受の縦断面図である。
【符号の説明】
【００３３】
１、１０、２０、３０          円筒ころ軸受（転がり軸受）
２、１２、２２                外輪
２ａ、１２ａ                  外輪軌道面
２ｃ、１２ｃ                  外輪の内周面
３、２１                      内輪
３ａ                          内輪軌道面
４、２３                      ころ
４ａ                          ころの側面
５、１５、２４                外輪案内型保持器（保持器）
５ａ、１５ａ、２４ｆ          保持器の外周面
５ｂ、１５ｂ、２４ａ          ポケット
５ｄ、１５ｄ                  ポケットの側壁
５ｅ、１５ｅ、２４ｃ          半径方向溝
５ｆ、１２ｄ、２１ｃ、２４ｄ  円環状溝
５ｇ、１５ｇ、２４ｅ          軸方向溝
５ｈ、１５ｈ、２４ｂ          保持器の内周面
【図１】
2006077905.tif 000003
【図２】
2006077905.tif 000004
【図３】
2006077905.tif 000005
【図４】
2006077905.tif 000006
【図５】
2006077905.tif 000007
【図６】
2006077905.tif 000008
【図７】
2006077905.tif 000009
【図８】
2006077905.tif 000010
【図９】
2006077905.tif 000011
【図１０】
2006077905.tif 000012
【図１１】
2006077905.tif 000013
【図１２】
2006077905.tif 000014
【図１３】
2006077905.tif 000015
【図１４】
2006077905.tif 000016
【図１５】
2006077905.tif 000017